(57)【要約】【課題】画像の一部が記録媒体に印刷されない事態の発生を抑制する。【解決手段】画像形成装置１００は、画像読取ユニット２、画像形成ユニット１、及び制御部５を備える。画像読取ユニット２は、原稿Ｒの画像を読み取り、読取画像ＭＪを生成する。画像形成ユニット１は、読取画像ＭＪを用紙Ｐに形成する。制御部５は、判定部５１と報知部５２とを含む。判定部５１は、画像形成領域ＲＰから読取画像ＭＪがはみ出すか否かを判定する。報知部５２は、判定部５１の判定結果に基づいて、読取画像ＭＪがはみ出すことを報知する。画像形成領域ＲＰは、画像形成ユニット１が用紙Ｐに画像を形成する領域を示す。【選択図】図３
2018142790.tif 000002
【特許請求の範囲】
【請求項１】
原稿の画像を読み取り、読取画像を生成する画像読取ユニットと、
前記読取画像を記録媒体に形成する画像形成ユニットと、
判定部と報知部とを有する制御ユニットと
を備え、
前記判定部は、画像形成領域から前記読取画像がはみ出すか否かを判定し、
前記報知部は、前記判定部の判定結果に基づいて、前記読取画像がはみ出すことを報知し、
前記画像形成領域は、前記画像形成ユニットが前記記録媒体に画像を形成する領域を示す、画像形成装置。
【請求項２】
前記判定部は、第１閾値以上の濃度を示す部分画像が前記画像形成領域の外部に存在するか否かに基づいて、前記読取画像がはみ出すか否かを判定し、
前記部分画像は、前記読取画像に含まれる、請求項１に記載の画像形成装置。
【請求項３】
前記判定部は、部分画像を構成するドットの個数が第２閾値以上であるか否かに基づいて、前記読取画像がはみ出すか否かを判定する、
前記部分画像は、前記読取画像に含まれ、前記画像形成領域の外部に存在する、請求項１又は請求項２に記載の画像形成装置。
【請求項４】
表示部を更に備え、
前記制御ユニットは、
前記表示部に前記読取画像及び前記画像形成領域を表示する表示制御部と、
ユーザーからの操作に基づいて、前記読取画像のうち、一部の画像を決定する第１決定部と、
前記一部の画像が前記画像形成領域に収まるように拡縮倍率を決定する第２決定部と
を更に備える、請求項１から請求項３のいずれか１項に記載の画像形成装置。
【請求項５】
表示部を更に備え、
前記制御ユニットは、
前記表示部に前記読取画像及び前記画像形成領域を表示する表示制御部と、
ユーザーからの操作に基づいて、前記記録媒体のサイズ及び向きの少なくとも一方の選択の指示を受け付ける第１受付部と、
を更に備え、
前記表示制御部は、前記第１受付部が受け付けた前記選択の指示に基づいて、前記画像形成領域を表示する、請求項１から請求項３のいずれか１項に記載の画像形成装置。
【請求項６】
表示部を更に備え、
前記制御ユニットは、
前記表示部に前記読取画像及び前記画像形成領域を表示する表示制御部と、
ユーザーからの操作に基づいて、前記読取画像の拡大又は縮小の指示を受け付ける第２受付部と
を更に備え、
前記表示制御部は、前記第２受付部が受け付けた前記拡大又は前記縮小の指示に基づいて、前記読取画像を表示する、請求項１から請求項３のいずれか１項に記載の画像形成装置。
【請求項７】
表示部を更に備え、
前記制御ユニットは、
前記表示部に前記読取画像及び前記画像形成領域を表示する表示制御部と、
ユーザーからの操作に基づいて、前記画像形成領域に対する前記読取画像の移動の指示を受け付ける第３受付部と
を更に備え、
前記表示制御部は、前記第３受付部が受け付けた前記移動の指示に基づいて、前記読取画像を表示する、請求項１から請求項３のいずれか１項に記載の画像形成装置。
【発明の詳細な説明】
【技術分野】
【０００１】
本発明は、画像形成装置に関する。
【背景技術】
【０００２】
特許文献１の画像形成装置は、印刷領域を表示部に表示させる。具体的には、画像形成装置は、表示部に原稿画像をプレビュー表示させると共にアイコンを表示させる。そして、画像形成装置は、原稿画像上へのアイコンのドラッグ操作を検出した場合には、アイコンが示す用紙のサイズに応じた枠線を原稿画像に重ねて表示部に表示させる。画像形成装置は、枠線で囲まれた領域を印刷領域にする。更に、画像形成装置は、ユーザーから印刷指示を受けた場合には、印刷領域に含まれる原稿画像をアイコンが示す用紙に印刷する。
【先行技術文献】
【特許文献】
【０００３】
【特許文献１】特開２０１３−１４１１９６号公報
【発明の概要】
【発明が解決しようとする課題】
【０００４】
しかしながら、特許文献１に記載の画像形成装置では、原稿画像の一部が用紙に印刷されない可能性がある。具体的には、原稿画像の一部が印刷領域からはみ出していることにユーザーが気付かない場合には、原稿画像の一部が用紙に印刷されない。
【０００５】
本発明は、上記課題に鑑みてなされたものであり、画像の一部が記録媒体に印刷されない事態の発生を抑制できる画像形成装置を提供することを目的としている。
【課題を解決するための手段】
【０００６】
本発明の画像形成装置は、画像読取ユニット、画像形成ユニット、及び制御ユニットを備える。前記画像読取ユニットは、原稿の画像を読み取り、読取画像を生成する。前記画像形成ユニットは、前記読取画像を記録媒体に形成する。前記制御ユニットは、判定部と報知部とを含む。前記判定部は、画像形成領域から前記読取画像がはみ出すか否かを判定する。前記報知部は、前記判定部の判定結果に基づいて、前記読取画像がはみ出すことを報知する。前記画像形成領域は、前記画像形成ユニットが前記記録媒体に画像を形成する領域を示す。
【発明の効果】
【０００７】
本発明の画像形成装置によれば、画像の一部が記録媒体に印刷されない事態の発生を抑制できる。
【図面の簡単な説明】
【０００８】
【図１】本発明の実施形態に係る画像形成装置の構成を示す図である。
【図２】本発明の実施形態に係る画像読取ユニット及び原稿搬送ユニットの構成を示す図である。
【図３】本発明の実施形態に係る制御部の構成を示す図である。
【図４】（ａ）は、読取画像と画像形成領域との一例を示す図である。（ｂ）は、用紙に形成される画像の一例を示す図である。
【図５】（ａ）は、用紙の向きを変更する操作の一例を示す図である。（ｂ）は、用紙の向きを変更した後の読取画像と画像形成領域とを示す図である。（ｃ）は、用紙の向きを変更した後に用紙に形成される画像の一例を示す図である。
【図６】（ａ）は、画像形成領域に対して読取画像を移動する操作の一例を示す図である。（ｂ）は、読取画像を移動する前に用紙に形成される画像の一例を示す図である。
【図７】（ａ）は、読取画像を移動した後の読取画像と画像形成領域とを示す図である。（ｂ）は、読取画像を移動した後に用紙に形成される画像の一例を示す図である。
【図８】（ａ）は、読取画像から特定画像を決定する操作の一例を示す図である。（ｂ）は、読取画像を縮小する操作の一例を示す図である。
【図９】（ａ）は、縮小後の特定画像と画像形成領域とを示す図である。（ｂ）は、特定画像の縮小後に用紙に形成される画像の一例を示す図である。
【図１０】制御部の処理を示すフローチャートである。
【図１１】制御部の処理を示すフローチャートである。
【図１２】制御部のはみ出し判定処理を示すフローチャートである。
【発明を実施するための形態】
【０００９】
以下、本発明の実施形態について、図面（図１〜図１２）を参照しながら説明する。なお、図中、同一又は相当部分については同一の参照符号を付して説明を繰り返さない。
【００１０】
まず、図１を参照して、本発明の実施形態に係る画像形成装置１００について説明する。図１は、画像形成装置１００の構成を示す図である。図１に示すように、画像形成装置１００は複合機である。画像形成装置１００は、画像形成ユニット１、画像読取ユニット２、原稿搬送ユニット３、操作表示部４、及び制御部５を備える。
【００１１】
画像形成ユニット１は、用紙Ｐ（記録媒体）に画像を形成する。画像読取ユニット２は、原稿Ｒに形成された画像を読み取り、読取画像を生成する。原稿搬送ユニット３は、原稿Ｒを画像読取ユニット２に供給する。
【００１２】
また、画像形成ユニット１は、給送カセット１１、搬送ローラー対１２、画像形成部１３、定着部１４、排出ローラー対１５、及び排出トレイ１６を備える。給送カセット１１から繰り出された用紙Ｐは、搬送ローラー対１２によって画像形成部１３まで搬送される。
【００１３】
画像形成部１３は、用紙Ｐに画像を形成する。具体的には、画像形成部１３は、感光体ドラム、帯電部、露光部、現像部、転写部、クリーニング部、及び除電部を含む。感光体ドラム、帯電部、露光部、現像部、及び転写部によって、用紙Ｐに画像が形成される。
【００１４】
画像が形成された用紙Ｐは、定着部１４まで搬送される。定着部１４は、用紙Ｐを加熱及び加圧し、用紙Ｐに形成された画像を用紙Ｐに定着する。画像が定着された用紙Ｐは、排出ローラー対１５によって排出トレイ１６へ排出される。
【００１５】
操作表示部４は、ユーザーからの操作を受け付ける。操作表示部４は、タッチパネル４１を備える。タッチパネル４１は、例えばＬＣＤ（Ｌｉｑｕｉｄ  Ｃｒｙｓｔａｌ  Ｄｉｓｐｌａｙ）を備え、種々の画像を表示する。また、タッチパネル４１は、タッチセンサーを備え、ユーザーからの操作を受け付ける。タッチパネル４１は、「表示部」の一例に相当する。
【００１６】
制御部５は、プロセッサー５Ａ、及び記憶部５Ｂを備える。プロセッサー５Ａは、例えばＣＰＵ（Ｃｅｎｔｒａｌ  Ｐｒｏｃｅｓｓｉｎｇ  Ｕｎｉｔ）を備える。記憶部５Ｂは、半導体メモリーのようなメモリーを備え、ＨＤＤ（Ｈａｒｄ  Ｄｉｓｋ  Ｄｒｉｖｅ）を備えてもよい。記憶部５Ｂは、制御プログラムを記憶している。制御部５は、「制御ユニット」に相当する。
【００１７】
次に、図２を参照して、本発明の実施形態に係る画像読取ユニット２、及び原稿搬送ユニット３について説明する。図２は、画像読取ユニット２、及び原稿搬送ユニット３の構成を示す図である。図２に示すように、画像読取ユニット２は、原稿自動読取用ガラス２１１、原稿載置用ガラス２１２、及び画像読取部２２を備える。
【００１８】
画像読取部２２は、原稿自動読取用ガラス２１１又は原稿載置用ガラス２１２を介して原稿Ｒの画像を読み取る。具体的には、画像読取部２２は、ＬＥＤ（Ｌｉｇｈｔ  Ｅｍｉｔｔｉｎｇ  Ｄｉｏｄｅ）のような発光部と、イメージセンサーのような撮像部とを備える。画像読取部２２は、本実施形態では、ＣＩＳ（Ｃｏｎｔａｃｔ  Ｉｍａｇｅ  Ｓｅｎｓｏｒ）ユニットである。なお、ＣＩＳユニットに換えて、ＣＣＤ（Ｃｈａｒｇｅ  Ｃｏｕｐｌｅｄ  Ｄｅｖｉｃｅ）センサー、発光部、及び光学系を設けてもよい。
【００１９】
画像読取ユニット２は、フラットベッド読取モードとＡＤＦ（Ａｕｔｏ  Ｄｏｃｕｍｅｎｔ  Ｆｅｅｄｅｒ）読取モードとを有する。フラットベッド読取モードでは、画像読取部２２は、副走査方向に移動しながら、原稿載置用ガラス２１２上に載置された原稿Ｒの画像を読み取る。副走査方向は、主走査方向と直交する方向を示す。ＡＤＦ読取モードでは、画像読取部２２は、原稿搬送ユニット３によって搬送された原稿Ｒの画像を、原稿自動読取用ガラス２１１を介して読み取る。以下の説明では、ＡＤＦ読取モードで原稿Ｒの画像を読み取る形態について説明する。
【００２０】
原稿搬送ユニット３は、原稿トレイ３１、ピックアップローラー３２、給送部３３、搬送ローラー対３４、搬送ローラー対３４１、レジストローラー対３５、読取ガイド３６、搬送ローラー対３７、排出ローラー対３８、原稿排出トレイ３９を備える。また、原稿搬送ユニット３は、ＡＤＦを構成している。
【００２１】
原稿トレイ３１には、複数枚の原稿Ｒ（図１参照）が載置される。ピックアップローラー３２は、複数枚の原稿Ｒのうちの最上部の原稿Ｒを１枚ずつ給送部３３に向けて繰り出す。給送部３３は、搬送ローラー対３４に原稿Ｒを給送する。搬送ローラー対３４は、搬送ローラー対３４１に原稿Ｒを搬送する。搬送ローラー対３４１は、レジストローラー対３５に原稿Ｒを搬送する。
【００２２】
レジストローラー対３５は、所定のタイミングで原稿自動読取用ガラス２１１に向けて原稿Ｒを送出する。読取ガイド３６は、原稿自動読取用ガラス２１１の上面に沿って原稿Ｒが搬送されるように、原稿Ｒを案内する。原稿Ｒが原稿自動読取用ガラス２１１を通過するときに、原稿Ｒに形成された画像が画像読取ユニット２によって読み取られる。そして、搬送ローラー対３７は、原稿Ｒを排出ローラー対３８に搬送する。更に、排出ローラー対３８は、原稿Ｒを原稿排出トレイ３９に排出する。
【００２３】
次に、図３を参照して、本発明の実施形態に係る制御部５の構成について説明する。図３は、制御部５の構成を示す図である。図３に示すように、制御部５は、判定部５１、報知部５２、第１決定部５３、第２決定部５４、表示制御部５５、第１受付部５６、第２受付部５７、及び第３受付部５８を備える。具体的には、プロセッサー５Ａが、記憶部５Ｂから制御プログラムを読み出して実行することによって、判定部５１、報知部５２、第１決定部５３、第２決定部５４、表示制御部５５、第１受付部５６、第２受付部５７、及び第３受付部５８として機能する。
【００２４】
判定部５１は、画像形成領域ＲＰ（図４参照）から読取画像ＭＪがはみ出すか否かを判定する。画像形成領域ＲＰは、画像形成ユニット１が用紙Ｐに画像を形成する領域を示す。読取画像ＭＪは、画像読取ユニット２によって生成される。
【００２５】
報知部５２は、判定部５１の判定結果に基づいて、読取画像ＭＪが画像形成領域ＲＰからはみ出すことを報知する。具体的には、画像形成領域ＲＰから読取画像ＭＪがはみ出すと判定部５１が判定した場合に、報知部５２は、タッチパネル４１を介して、ユーザーに読取画像ＭＪが画像形成領域ＲＰからはみ出す旨の文字情報を表示する。例えば、報知部５２は、「原稿に形成された画像の一部が用紙に印刷できません。」と表示する。印刷とは、画像形成ユニット１が画像を用紙Ｐに形成することを示す。
【００２６】
第１決定部５３は、ユーザーからの操作に基づいて、読取画像ＭＪのうち、特定画像ＭＪ２（図８参照）を決定する。特定画像ＭＪ２は、「一部の画像」に相当する。
【００２７】
第２決定部５４は、特定画像ＭＪ２が画像形成領域ＲＰに収まるように拡縮倍率αを決定する。
【００２８】
第１受付部５６は、ユーザーからの操作に基づいて、用紙Ｐのサイズ及び向きの少なくとも一方の選択の指示を受け付ける。
【００２９】
第２受付部５７は、ユーザーからの操作に基づいて、読取画像ＭＪの拡大又は縮小の指示を受け付ける。
【００３０】
第３受付部５８は、ユーザーからの操作に基づいて、画像形成領域ＲＰに対する読取画像ＭＪの移動の指示を受け付ける。
【００３１】
具体的には、第１決定部５３、第１受付部５６、第２受付部５７、及び第３受付部５８は、それぞれ、操作表示部４を介してユーザーからの操作を受け付ける。
【００３２】
表示制御部５５は、タッチパネル４１に読取画像ＭＪ及び画像形成領域ＲＰを表示する。また、表示制御部５５は、第１受付部５６が受け付けた選択の指示に基づいて、タッチパネル４１に画像形成領域ＲＰを表示する。更に、表示制御部５５は、第２受付部５７が受け付けた拡大又は縮小の指示に基づいて、タッチパネル４１に読取画像ＭＪを表示する。また、表示制御部５５は、第３受付部５８が受け付けた移動の指示に基づいて、タッチパネル４１に読取画像ＭＪを表示する。
【００３３】
以上、図１から図３を参照して説明したように、本発明の実施形態では、判定部５１が、画像形成領域ＲＰから読取画像ＭＪがはみ出すか否かを判定する。そして、報知部５２は、判定部５１の判定結果に基づいて、読取画像ＭＪが画像形成領域ＲＰからはみ出すことを報知する。よって、ユーザーは、読取画像ＭＪが画像形成領域ＲＰからはみ出すことを認識できる。したがって、ユーザーは、読取画像ＭＪが画像形成領域ＲＰからはみ出さないように、画像形成装置１００を操作することができる。その結果、読取画像ＭＪの一部が用紙Ｐに印刷されない事態の発生を抑制できる。例えば、ユーザーは、読取画像ＭＪが画像形成領域ＲＰからはみ出さないように、用紙Ｐのサイズ及び向きの少なくとも一方を変更する操作、又は、拡縮倍率を変更する操作をする。
【００３４】
次に、図３及び図４を参照して、判定部５１の処理について説明する。図４（ａ）は、読取画像ＭＪと画像形成領域ＲＰとの一例を示す図である。図４（ａ）に示すように、表示制御部５５が、タッチパネル４１に、読取画像ＭＪと画像形成領域ＲＰとを表示している。読取画像ＭＪは、画像形成領域ＲＰからはみ出した領域（以下、「はみ出し領域」と記載する。）ＲＱを含む。はみ出し領域ＲＱには、部分画像ＭＫが含まれている。図４（ａ）では、部分画像ＭＫは「Ｈ」の文字を示す。部分画像ＭＫは、読取画像ＭＪに含まれ、読取画像ＭＪの一部を構成する。
【００３５】
判定部５１は、第１閾値ＤＳ以上の濃度Ｄを示す部分画像ＭＫが画像形成領域ＲＰの外部に存在するか否かに基づいて、読取画像ＭＪが画像形成領域ＲＰからはみ出すか否かを判定する。以下、第１閾値ＤＳ以上の濃度Ｄを示すと共に画像形成領域ＲＰの外部に存在する部分画像ＭＫを「部分画像ＭＫＳ」と記載する場合がある。加えて、判定部５１は、部分画像ＭＫＳを構成するドットＰＥの個数ＮＰが第２閾値ＮＳ以上であるか否かに基づいて、読取画像ＭＪが画像形成領域ＲＰからはみ出すか否かを判定する。すなわち、第１閾値ＤＳ以上の濃度Ｄを示す部分画像ＭＫが画像形成領域ＲＰの外部に存在し、且つ、部分画像ＭＫＳを構成するドットＰＥの個数ＮＰが第２閾値ＮＳ以上である場合に、判定部５１は読取画像ＭＪが画像形成領域ＲＰからはみ出すと判定する。
【００３６】
図４（ｂ）は、用紙Ｐに形成される画像の一例を示す図である。図４（ａ）及び図４（ｂ）に示すように、読取画像ＭＪが画像形成領域ＲＰからはみ出している場合、用紙Ｐには、読取画像ＭＪの一部が形成され、はみ出し領域ＲＱに含まれる部分画像ＭＫは形成されない。そこで、ユーザーは、読取画像ＭＪが画像形成領域ＲＰからはみ出さないように、画像形成装置１００を操作して、読取画像ＭＪの全体を用紙Ｐに印刷できる。図４（ｂ）では、図面の簡略化のため、用紙Ｐの領域が画像形成領域ＲＰと同一であるとしている。
【００３７】
以上、図３及び図４を参照して説明したように、本発明の実施形態では、判定部５１は、第１閾値以上の濃度Ｄを示す部分画像ＭＫが画像形成領域ＲＰの外部に存在するか否かに基づいて、画像形成領域ＲＰから読取画像ＭＪがはみ出すか否かを判定する。よって、読取画像ＭＪのうち、画像形成領域ＲＰの外部に存在する部分画像ＭＫの濃度Ｄが第１閾値ＤＳ未満である場合には、判定部５１は、画像形成領域ＲＰから読取画像ＭＪがはみ出さないと判定する。一方、読取画像ＭＪのうち、画像形成領域ＲＰの外部に存在する部分画像ＭＫの濃度Ｄが第１閾値ＤＳ以上である場合には、判定部５１は、画像形成領域ＲＰから読取画像ＭＪがはみ出すと判定する。したがって、第１閾値ＤＳを適正な値に設定することによって、判定部５１は、画像形成領域ＲＰから読取画像ＭＪがはみ出すか否かを適正に判定できる。
【００３８】
加えて、判定部５１は、部分画像ＭＫＳを構成するドットＰＥの個数ＮＰが第２閾値以上であるか否かに基づいて、画像形成領域ＲＰから読取画像ＭＪがはみ出すか否かを判定する。よって、部分画像ＭＫＳを構成するドットＰＥの個数ＮＰが第２閾値ＮＳ未満である場合には、判定部５１は、画像形成領域ＲＰから読取画像ＭＪがはみ出さないと判定する。一方、部分画像ＭＫＳを構成するドットＰＥの個数ＮＰが第２閾値ＮＳ以上である場合には、判定部５１は、画像形成領域ＲＰから読取画像ＭＪがはみ出すと判定する。したがって、第２閾値ＮＳを適正な値に設定することによって、判定部５１は、画像形成領域ＲＰから読取画像ＭＪがはみ出すか否かを更に適正に判定できる。
【００３９】
次に、図３及び図５を参照して、第１受付部５６及び表示制御部５５の処理について説明する。図５（ａ）は、用紙Ｐの向きを変更する操作の一例を示す図である。図５（ａ）に示すように、表示制御部５５が、タッチパネル４１に、読取画像ＭＪと画像形成領域ＲＰとを表示している。読取画像ＭＪは、はみ出し領域ＲＱを含む。はみ出し領域ＲＱに含まれる部分画像ＭＫは、用紙Ｐに形成されない。
【００４０】
そこで、ユーザーは、用紙Ｐの向きを変更する操作を行う。具体的には、ユーザーは、親指をタッチパネル４１の位置Ｐ１にタッチすると共に、人差し指をタッチパネル４１の位置Ｐ２１にタッチする。そして、ユーザーは、人差し指をタッチパネル４１に接触させた状態で、親指の位置Ｐ１を中心として人差し指を位置Ｐ２１から位置Ｐ２２まで方向ＡＲ２に移動する。更に、ユーザーは、親指と人差し指とをタッチパネル４１から離間させる。このように、親指と人差し指とをタッチパネル４１にタッチしてから親指と人差し指とをタッチパネル４１から離間させるまでの操作が行われた場合に、タッチパネル４１は、回転操作ＯＰ１を検出する。
【００４１】
第１受付部５６が、タッチパネル４１を介して、回転操作ＯＰ１を受け付けた場合には、第１受付部５６は用紙Ｐの向きの選択の指示を受け付ける。具体的には、用紙Ｐが「Ａ４縦」に設定されているときに、第１受付部５６が回転操作ＯＰ１を受け付けた場合には、第１受付部５６は用紙Ｐを「Ａ４横」に設定する。「Ａ４縦」とは、用紙Ｐの長手方向に沿って、Ａ４サイズの用紙Ｐに印刷することを示す。「Ａ４横」とは、用紙Ｐの長手方向に直交する方向に沿って、Ａ４サイズの用紙Ｐに印刷することを示す。
【００４２】
また、表示制御部５５は、第１受付部５６が受け付けた選択の指示に基づいて、画像形成領域ＲＰを表示する。具体的には、第１受付部５６が受け付けた選択の指示は、用紙Ｐを「Ａ４縦」から「Ａ４横」に設定するとの選択の指示である。表示制御部５５は、「Ａ４縦」の用紙Ｐに対応する画像形成領域ＲＰに換えて、「Ａ４横」の用紙Ｐに対応する画像形成領域ＲＰをタッチパネル４１に表示する。
【００４３】
その結果、図５（ｂ）に示す画像がタッチパネル４１に表示される。図５（ｂ）は、用紙Ｐの向きを変更した後の読取画像ＭＪと画像形成領域ＲＰとを示す図である。図５（ｂ）に示すように、読取画像ＭＪは、画像形成領域ＲＰからはみ出していない。
【００４４】
図５（ｃ）は、用紙Ｐの向きを変更した後に用紙Ｐに形成される画像の一例を示す図である。図５（ｃ）に示すように、読取画像ＭＪの全体が用紙Ｐに形成される。すなわち、読取画像ＭＪの一部が用紙Ｐに印刷されない事態は発生しない。図５（ｃ）では、図面の簡略化のため、用紙Ｐの領域が画像形成領域ＲＰと同一であるとしている。
【００４５】
図３及び図５を参照して説明したように、第１受付部５６は用紙Ｐの向きの選択の指示を受け付けるが、本発明はこれに限定されない。第１受付部５６が、用紙Ｐのサイズ及び向きの少なくとも一方の選択の指示を受け付ける形態であればよい。
【００４６】
以上、図３及び図５を参照して説明したように、本発明の実施形態では、第１受付部５６は、ユーザーからの操作に基づいて、用紙Ｐのサイズ及び向きの少なくとも一方の選択の指示を受け付ける。よって、ユーザーは、用紙Ｐのサイズ及び向きの少なくとも一方の選択を行うことができる。また、表示制御部５５は、第１受付部５６が受け付けた選択の指示に基づいて、タッチパネル４１に画像形成領域ＲＰを表示する。更に、表示制御部５５は、タッチパネル４１に読取画像ＭＪを表示する。よって、ユーザーは、タッチパネル４１に表示された読取画像ＭＪを画像形成領域ＲＰと比較することによって、読取画像ＭＪの一部が用紙Ｐに印刷されない事態が発生するか否かを視認できる。したがって、ユーザーの利便性を向上できる。
【００４７】
また、第１受付部５６が、タッチパネル４１を介して、例えば、回転操作ＯＰ１を受け付けた場合には、第１受付部５６は用紙Ｐの向きの選択の指示を受け付ける。よって、ユーザーは、回転操作ＯＰ１を行うことによって、用紙Ｐの向きの選択を行うことができる。したがって、ユーザーは直感に合致した操作で、用紙Ｐの向きの選択を行うことができる。
【００４８】
次に、図３、図６及び図７を参照して、第３受付部５８及び表示制御部５５の処理について説明する。図６（ａ）は、画像形成領域ＲＰに対して読取画像ＭＪを移動する操作の一例を示す図である。図６（ａ）に示すように、表示制御部５５が、タッチパネル４１に、読取画像ＭＪと画像形成領域ＲＰとを表示している。読取画像ＭＪは、正三角形の画像ＭＪ１を含む。画像ＭＪ１の一部（すなわち、部分画像ＭＫ１）は、画像形成領域ＲＰからはみ出している。すなわち、はみ出し領域ＲＱには、部分画像ＭＫ１が含まれる。
【００４９】
次に、読取画像ＭＪを移動する操作について説明する。ユーザーは、人差し指をタッチパネル４１の位置Ｐ３１にタッチする。そして、ユーザーは、人差し指をタッチパネル４１に接触させた状態で、人差し指を方向ＡＲ３に位置Ｐ３１から位置Ｐ３２まで移動する。位置Ｐ３１から位置Ｐ３２までの距離、つまり、タッチの始点から終点までの距離を、距離Ｌと記載する。更に、ユーザーは、人差し指をタッチパネル４１から離間させる。このように、人差し指をタッチパネル４１にタッチしてから人差し指をタッチパネル４１から離間させるまでの操作が行われた場合に、タッチパネル４１は、移動操作ＯＰ２を検出する。移動操作ＯＰ２は、本実施形態では、読取画像ＭＪの長辺に沿った方向（図６では上下方向）、又は読取画像ＭＪの短辺に沿った方向（図６では左右方向）のスライド操作である。なお、位置Ｐ３１は、任意の位置であってもよい。例えば、位置Ｐ３１は、画像ＭＪ１上の位置であってもよい。
【００５０】
第３受付部５８が、タッチパネル４１を介して、移動操作ＯＰ２を受け付けた場合には、第３受付部５８は、画像形成領域ＲＰに対する読取画像ＭＪの移動の指示を受け付ける。具体的には、第３受付部５８は、画像形成領域ＲＰに対して読取画像ＭＪを、距離Ｌだけ方向ＡＲ３に移動する。
【００５１】
表示制御部５５は、第３受付部５８が受け付けた移動の指示に基づいて、読取画像ＭＪをタッチパネル４１に表示する。具体的には、表示制御部５５は、画像形成領域ＲＰに対して読取画像ＭＪを、距離Ｌだけ方向ＡＲ３に移動してタッチパネル４１に表示させる。
【００５２】
図６（ｂ）は、読取画像ＭＪを移動する前に用紙Ｐに形成される画像の一例を示す図である。図６（ｂ）に示すように、読取画像ＭＪが画像形成領域ＲＰからはみ出している場合、用紙Ｐには、読取画像ＭＪの一部が形成され、はみ出し領域ＲＱに含まれる部分画像ＭＫ１は用紙Ｐには形成されない。そこで、ユーザーは、読取画像ＭＪが画像形成領域ＲＰからはみ出さないように、読取画像ＭＪを移動する。図６（ｂ）では、図面の簡略化のため、用紙Ｐの領域が画像形成領域ＲＰと同一であるとしている。
【００５３】
図７（ａ）は、読取画像ＭＪを移動した後の読取画像ＭＪと画像形成領域ＲＰとを示す図である。図７（ａ）に示すように、表示制御部５５が、タッチパネル４１に、読取画像ＭＪと画像形成領域ＲＰとを表示している。読取画像ＭＪは、画像ＭＪ１を含む。画像ＭＪ１は、画像形成領域ＲＰに含まれている。
【００５４】
図７（ｂ）は、読取画像ＭＪを移動した後に用紙Ｐに形成される画像の一例を示す図である。図７（ｂ）に示すように、画像ＭＪ１は、画像形成領域ＲＰに含まれている。よって、画像ＭＪ１は全て用紙Ｐに形成される。すなわち、画像ＭＪ１のうち、用紙Ｐには形成されない画像は存在しない。図７（ｂ）では、図面の簡略化のため、用紙Ｐの領域が画像形成領域ＲＰと同一であるとしている。
【００５５】
以上、図３、図６及び図７を参照して説明したように、本発明の実施形態では、第３受付部５８は、ユーザーからの操作に基づいて、画像形成領域ＲＰに対する読取画像ＭＪの移動の指示を受け付ける。よって、ユーザーは、画像形成領域ＲＰに対する読取画像ＭＪの移動を行うことができる。また、表示制御部５５は、第３受付部５８が受け付けた移動の指示に基づいて、読取画像ＭＪをタッチパネル４１に表示する。更に、表示制御部５５は、タッチパネル４１に画像形成領域ＲＰを表示する。よって、ユーザーは、タッチパネル４１に表示された読取画像ＭＪを画像形成領域ＲＰと比較することによって、読取画像ＭＪの一部が用紙Ｐに印刷されない事態が発生するか否かを視認できる。したがって、ユーザーの利便性を向上できる。
【００５６】
また、第３受付部５８が、タッチパネル４１を介して、例えば、移動操作ＯＰ２を受け付けた場合には、第３受付部５８は、画像形成領域ＲＰに対する読取画像ＭＪの移動の指示を受け付ける。よって、ユーザーは、移動操作ＯＰ２を行うことによって、画像形成領域ＲＰに対して読取画像ＭＪを移動できる。したがって、ユーザーは直感に合致した操作で、画像形成領域ＲＰに対して読取画像ＭＪを移動できる。
【００５７】
次に、図３、図８及び図９を参照して、第１決定部５３、第２決定部５４、第２受付部５７、及び表示制御部５５の処理について説明する。図８（ａ）は、読取画像ＭＪから特定画像ＭＪ２を決定する操作の一例を示す図である。図８（ａ）に示すように、表示制御部５５が、タッチパネル４１に、読取画像ＭＪと画像形成領域ＲＰとを表示している。また、特定画像ＭＪ２の一部が画像形成領域ＲＰからはみ出している。よって、用紙Ｐには、画像形成領域ＲＰに含まれる特定画像ＭＪ２の一部が形成され、はみ出し領域ＲＱに含まれる特定画像ＭＪ２は用紙Ｐには形成されない。そこで、以下に示すように、ユーザーは、特定画像ＭＪ２が画像形成領域ＲＰからはみ出さないように、特定画像ＭＪ２を縮小する。
【００５８】
まず、特定画像ＭＪ２を決定する操作について説明する。ユーザーは、人差し指をタッチパネル４１の位置Ｐ４１にタッチする。そして、ユーザーは、人差し指をタッチパネル４１に接触させた状態で、人差し指を方向ＡＲ４に位置Ｐ４１から位置Ｐ４２まで移動する。更に、ユーザーは、人差し指をタッチパネル４１から離間させる。このような人差し指をタッチパネル４１にタッチしてから人差し指をタッチパネル４１から離間させるまでの操作が行われた場合に、タッチパネル４１は、選択操作ＯＰ３を検出する。選択操作ＯＰ３は、本実施形態では、斜め上方向へのスライド操作である。
【００５９】
第１決定部５３は、ユーザーからの操作に基づいて、読取画像ＭＪのうち、特定画像ＭＪ２を決定する。具体的には、第１決定部５３が選択操作ＯＰ３を受け付けた場合に、第１決定部５３は、選択領域ＲＡをタッチパネル４１に表示する。選択領域ＲＡは、位置Ｐ４１と位置Ｐ４２とを結ぶ線分を対角線とする長方形の領域である。選択領域ＲＡの一辺は、読取画像ＭＪの一辺と平行である。選択領域ＲＡの一辺に隣接する他辺は、読取画像ＭＪの一辺に隣接する他辺と平行である。特定画像ＭＪ２は、「一部の画像」に相当する。
【００６０】
次に、第１決定部５３は、選択領域ＲＡに含まれる画像を特定画像ＭＪ２に決定する。また、表示制御部５５は、特定画像ＭＪ２を識別可能にタッチパネル４１に表示させる。例えば、表示制御部５５は、特定画像ＭＪ２を特定の色（例えば、赤色）でタッチパネル４１に表示させる。また、例えば、表示制御部５５は、特定画像ＭＪ２をタッチパネル４１に点滅表示させる。
【００６１】
第２決定部５４は、特定画像ＭＪ２が画像形成領域ＲＰに収まるように拡縮倍率αを決定する。特定画像ＭＪ２が画像形成領域ＲＰからはみ出している場合には、ユーザーは、読取画像ＭＪを縮小する操作を行う。よって、第２決定部５４は、特定画像ＭＪ２が画像形成領域ＲＰに収まるように縮小率α１を決定する。一方、特定画像ＭＪ２が画像形成領域ＲＰからはみ出していない場合には、ユーザーは、読取画像ＭＪを拡大する操作を行うことがある。このときには、第２決定部５４は、特定画像ＭＪ２が画像形成領域ＲＰに収まるように拡大率α２を決定する。すなわち、第２決定部５４は、特定画像ＭＪ２が画像形成領域ＲＰからはみ出さないように拡大率α２を決定する。
【００６２】
次に、読取画像ＭＪを縮小する操作について説明する。図８（ｂ）は、読取画像ＭＪを縮小する操作の一例を示す図である。図８（ｂ）に示すように、表示制御部５５が、タッチパネル４１に、読取画像ＭＪと画像形成領域ＲＰとを表示している。また、ユーザーは、親指をタッチパネル４１の位置Ｐ５１１にタッチすると共に、人差し指をタッチパネル４１の位置Ｐ５２１にタッチする。そして、ユーザーは、親指をタッチパネル４１に接触させた状態で親指を方向ＡＲ５１に位置Ｐ５１１から位置Ｐ５１２まで移動すると共に、人差し指をタッチパネル４１に接触させた状態で人差し指を方向ＡＲ５２に位置Ｐ５２１から位置Ｐ５２２まで移動する。更に、ユーザーは、親指と人差し指とをタッチパネル４１から離間させる。このように、親指と人差し指とをタッチパネル４１にタッチしてから親指と人差し指とをタッチパネル４１から離間させるまでの操作が行われた場合に、タッチパネル４１は、縮小操作ＯＰ４を検出する。縮小操作ＯＰ４は、本実施形態では、いわゆる「ピンチイン操作」である。
【００６３】
第２受付部５７は、ユーザーからの操作に基づいて、読取画像ＭＪの拡大又は縮小の指示を受け付ける。具体的には、第２受付部５７は、縮小操作ＯＰ４を受け付けた場合に、読取画像ＭＪの縮小の指示を受け付ける。また、第２受付部５７は、拡大操作を受け付けた場合に、読取画像ＭＪの拡大の指示を受け付ける。例えば、拡大操作は、いわゆる「ピンチアウト操作」である。
【００６４】
表示制御部５５は、第２受付部５７が受け付けた拡大又は縮小の指示に基づいて、読取画像ＭＪを拡大又は縮小して表示する。具体的には、第２受付部５７が縮小操作ＯＰ４を受け付けた場合に、表示制御部５５は、読取画像ＭＪを縮小率α１で縮小して表示する。また、第２受付部５７が拡大操作を受け付けた場合に、表示制御部５５は、読取画像ＭＪを拡大率α２で拡大して表示する。
【００６５】
図９（ａ）は、縮小後の特定画像ＭＪ２と画像形成領域ＲＰとを示す図である。図９（ａ）に示すように、表示制御部５５が、タッチパネル４１に、読取画像ＭＪと画像形成領域ＲＰとを表示している。また、表示制御部５５が読取画像ＭＪを縮小率α１で縮小して表示するため、特定画像ＭＪ２が画像形成領域ＲＰに収まっている。
【００６６】
図９（ｂ）は、特定画像ＭＪ２の縮小後に用紙Ｐに形成される画像の一例を示す図である。図９（ｂ）に示すように、特定画像ＭＪ２が画像形成領域ＲＰに収まっているため、特定画像ＭＪ２の全体が用紙Ｐに形成される。図９（ｂ）では、図面の簡略化のため、用紙Ｐの領域が画像形成領域ＲＰと同一であるとしている。
【００６７】
以上、図３、図８及び図９を参照して説明したように、本発明の実施形態では、第１決定部５３は、ユーザーからの操作に基づいて、読取画像ＭＪのうち、特定画像ＭＪ２を決定する。また、第２決定部５４は、特定画像ＭＪ２が画像形成領域ＲＰに収まるように拡縮倍率αを決定する。よって、ユーザーは、読取画像ＭＪのうち印刷を所望する画像を特定画像ＭＪ２に決定することによって、所望する画像が画像形成領域ＲＰに収まるように拡縮倍率αを決定できる。したがって、ユーザーが印刷を所望する画像を確実に印刷できる。
【００６８】
また、第１決定部５３が選択操作ＯＰ３を受け付けた場合に、第１決定部５３は、選択領域ＲＡをタッチパネル４１に表示する。更に、第１決定部５３は、選択領域ＲＡに含まれる画像を特定画像ＭＪ２に決定する。よって、ユーザーは、選択操作ＯＰ３を行うことによって、特定画像ＭＪ２を決定できる。したがって、ユーザーは直感に合致した操作で、特定画像ＭＪ２を決定できる。
【００６９】
更に、第２受付部５７は、ユーザーからの操作に基づいて、読取画像ＭＪの拡大又は縮小の指示を受け付ける。表示制御部５５は、第２受付部５７が受け付けた拡大又は縮小の指示に基づいて、読取画像ＭＪを拡大又は縮小してタッチパネル４１に表示する。また、表示制御部５５は、画像形成領域ＲＰをタッチパネル４１に表示する。よって、ユーザーは、タッチパネル４１に表示された読取画像ＭＪを画像形成領域ＲＰと比較することによって、拡大又は縮小された読取画像ＭＪが用紙Ｐに印刷されない事態が発生するか否かを視認できる。したがって、ユーザーの利便性を更に向上できる。
【００７０】
加えて、第２受付部５７は、縮小操作ＯＰ４（例えば、ピンチイン操作）を受け付けた場合に、読取画像ＭＪの縮小の指示を受け付ける。よって、ユーザーは、縮小操作ＯＰ４を行うことによって、読取画像ＭＪの縮小できる。したがって、ユーザーは直感に合致した操作で、読取画像ＭＪを縮小できる。同様にして、ユーザーはピンチアウト操作を行うことによって、読取画像ＭＪを拡大できる。したがって、ユーザーは直感に合致した操作で、読取画像ＭＪを拡大できる。
【００７１】
また、第２決定部５４が縮小率α１を決定した後に、第２受付部５７が縮小操作ＯＰ４を受け付けた場合には、表示制御部５５は、読取画像ＭＪを縮小率α１で縮小して表示する。また、縮小率α１は、第２決定部５４によって、特定画像ＭＪ２が画像形成領域ＲＰに収まるように決定される。よって、ユーザーは、特定画像ＭＪ２を決定し、縮小操作ＯＰ４又は拡大操作を行うことによって、特定画像ＭＪ２を画像形成領域ＲＰに収めることができる。したがって、特定画像ＭＪ２の全てを用紙Ｐに印刷できる。
【００７２】
次に、図３、図１０及び図１１を参照して、制御部５の処理について説明する。図１０及び図１１は、制御部５の処理を示すフローチャートである。
図１０に示すように、まず、ステップＳ１０１において、制御部５は画像読取ユニット２に読取画像ＭＪを生成させる。
次に、ステップＳ１０３において、判定部５１が「はみ出し判定処理」を行う。「はみ出し判定処理」とは、画像形成領域ＲＰから読取画像ＭＪがはみ出すか否かを判定する処理を示す。
そして、ステップＳ１０５において、判定部５１が画像形成領域ＲＰから読取画像ＭＪがはみ出すか否かを判定する。
判定部５１が画像形成領域ＲＰから読取画像ＭＪがはみ出さないと判定した場合（ステップＳ１０５でＮＯ）には、処理が終了する。判定部５１が画像形成領域ＲＰから読取画像ＭＪがはみ出すと判定した場合（ステップＳ１０５でＹＥＳ）には、処理がステップＳ１０７に進む。
【００７３】
そして、ステップＳ１０７において、報知部５２が、読取画像ＭＪが画像形成領域ＲＰからはみ出すことを報知する。
次に、ステップＳ１０９において、表示制御部５５が、読取画像ＭＪ及び画像形成領域ＲＰをタッチパネル４１に表示させる。
そして、ステップＳ１１１において、第１決定部５３が選択操作ＯＰ３を受け付けたか否かを判定する。
第１決定部５３が選択操作ＯＰ３を受け付けていないと判定した場合（ステップＳ１１１でＮＯ）には、処理が図１１に示すステップＳ１２３に進む。第１決定部５３が選択操作ＯＰ３を受け付けたと判定した場合（ステップＳ１１１でＹＥＳ）には、処理がステップＳ１１３に進む。
次に、ステップＳ１１３において、第１決定部５３が特定画像ＭＪ２を決定する。具体的には、第１決定部５３が選択操作ＯＰ３に基づいて選択領域ＲＡを決定する。そして、第１決定部５３が選択領域ＲＡに含まれる画像を特定画像ＭＪ２に決定する。
【００７４】
そして、ステップＳ１１５において、表示制御部５５が、特定画像ＭＪ２を識別可能にタッチパネル４１に表示させる。
次に、ステップＳ１１７において、第２決定部５４は、特定画像ＭＪ２が画像形成領域ＲＰに収まるように拡縮倍率αを決定する。
そして、ステップＳ１１９において、第２受付部５７が、ユーザーからの操作に基づいて、読取画像ＭＪの拡縮操作を受け付けたか否かを判定する。
第２受付部５７が読取画像ＭＪの拡縮操作を受け付けていないと判定した場合（ステップＳ１１９でＮＯ）には、処理が図１１に示すステップＳ１２３に進む。第２受付部５７が読取画像ＭＪの拡縮操作を受け付けたと判定した場合（ステップＳ１１９でＹＥＳ）には、処理がステップＳ１２１に進む。
【００７５】
そして、ステップＳ１２１において、表示制御部５５は、拡縮倍率αで読取画像ＭＪを拡大又は縮小して表示する。
次に、図１１に示すように、ステップＳ１２３において、第１受付部５６が、ユーザーからの操作に基づいて、用紙Ｐのサイズ及び向きの少なくとも一方の選択の指示を受け付けたか否かの判定を行う。「用紙Ｐのサイズ及び向きの少なくとも一方の選択」を、以下、「用紙Ｐの選択」と記載する。
第１受付部５６が用紙Ｐの選択の指示を受け付けていないと判定した場合（ステップＳ１２３でＮＯ）には、処理がステップＳ１２９に進む。第１受付部５６が用紙Ｐの選択の指示を受け付けたと判定した場合（ステップＳ１２３でＹＥＳ）には、処理がステップＳ１２５に進む。
そして、ステップＳ１２５において、第１受付部５６は、ステップＳ１２３で受け付けた用紙Ｐの選択を行う。
次に、ステップＳ１２７において、表示制御部５５は、選択した用紙Ｐに対応する画像形成領域ＲＰをタッチパネル４１に表示させる。
【００７６】
そして、ステップＳ１２９において、第３受付部５８が、移動操作ＯＰ２を受け付けたか否かを判定する。
第３受付部５８が移動操作ＯＰ２を受け付けていないと判定した場合（ステップＳ１２９でＮＯ）には、処理がステップＳ１３５に進む。第３受付部５８が移動操作ＯＰ２を受け付けたと判定した場合（ステップＳ１２９でＹＥＳ）には、処理がステップＳ１３１に進む。
そして、ステップＳ１３１において、第３受付部５８は、画像形成領域ＲＰに対して読取画像ＭＪを移動する。
次に、ステップＳ１３３において、表示制御部５５は、ステップＳ１３１で移動された読取画像ＭＪをタッチパネル４１に表示させる。
そして、ステップＳ１３５において、制御部５が、ユーザーからの操作に基づいて、画像を形成するか否かを判定する。
制御部５が画像を形成しないと判定した場合（ステップＳ１３５でＮＯ）には、処理が終了する。制御部５が画像を形成すると判定した場合（ステップＳ１３５でＹＥＳ）には、処理がステップＳ１３７に進む。
そして、ステップＳ１３７において、制御部５が画像形成ユニット１を介して読取画像ＭＪを用紙Ｐに形成して、処理が終了する。
【００７７】
次に、図１２を参照して、はみ出し判定処理について説明する。図１２は、制御部５のはみ出し判定処理（図１０のステップＳ１０３）を示すフローチャートである。
図１２に示すように、まず、ステップＳ２０１において、判定部５１が、第１閾値以上の濃度Ｄを示す部分画像ＭＫが画像形成領域ＲＰの外部に存在するか否かを判定する。
第１閾値以上の濃度Ｄを示す部分画像ＭＫが画像形成領域ＲＰの外部に存在しないと判定部５１が判定した場合（ステップＳ２０１でＮＯ）には、処理がステップＳ２０７に進む。第１閾値以上の濃度Ｄを示す部分画像ＭＫが画像形成領域ＲＰの外部に存在すると判定部５１が判定した場合（ステップＳ２０１でＹＥＳ）には、処理がステップＳ２０３に進む。
【００７８】
そして、ステップＳ２０３において、判定部５１が、部分画像ＭＫＳを構成するドットＰＥの個数ＮＰが第２閾値ＮＳ以上であるか否かを判定する。
部分画像ＭＫＳを構成するドットＰＥの個数ＮＰが第２閾値ＮＳ以上ではないと判定部５１が判定した場合（ステップＳ２０３でＮＯ）には、処理がステップＳ２０７に進む。部分画像ＭＫを構成するドットＰＥの個数ＮＰが第２閾値ＮＳ以上であると判定部５１が判定した場合（ステップＳ２０３でＹＥＳ）には、処理がステップＳ２０５に進む。
そして、ステップＳ２０５において、判定部５１が、画像形成領域ＲＰから読取画像ＭＪがはみ出すと判定し、処理が図１０に示すステップＳ１０５に進む。
一方、ステップＳ２０１でＮＯの場合、又は、ステップＳ２０３でＮＯの場合には、ステップＳ２０７において、判定部５１が、画像形成領域ＲＰから読取画像ＭＪがはみ出さないと判定し、処理が図１０に示すステップＳ１０５に進む。
【００７９】
以上、図１〜図１２を参照して説明したように、本発明の実施形態では、ユーザーからの操作に基づいて、制御部５が、用紙Ｐのサイズ及び向きの少なくとも一方の選択、読取画像ＭＪの拡大又は縮小、若しくは、画像形成領域ＲＰに対する読取画像ＭＪの移動を行う。その結果、画像形成領域ＲＰから読取画像ＭＪがはみ出さないようにして、読取画像ＭＪの全てを用紙Ｐに印刷することができる。
【００８０】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（７））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００８１】
（１）図２を参照して説明したように、ＡＤＦ読取モードで原稿Ｒの画像を読み取るが、本発明はこれに限定されない。フラットベッド読取モードで原稿Ｒの画像を読み取る形態でもよい。
【００８２】
（２）図４〜図８を参照して説明したように、読取画像ＭＪが画像形成領域ＲＰからはみ出すが、本発明はこれに限定されない。読取画像ＭＪ又は読取画像ＭＪを拡縮した画像が画像形成領域ＲＰからはみ出す形態であればよい。例えば、読取画像ＭＪを拡大した画像が画像形成領域ＲＰからはみ出す形態でもよい。また、例えば、読取画像ＭＪを縮小した画像が、用紙Ｐの選択が不適切であるために、画像形成領域ＲＰからはみ出す形態でもよい。なお、原稿Ｒの画像を連続して読み取り、読取画像ＭＪを拡大した画像を用紙Ｐに連続して形成する場合には、読取画像ＭＪを拡大した画像が画像形成領域ＲＰからはみ出す事態が発生し易い。このような場合に、本発明は更に顕著な効果を奏する。
【００８３】
（３）図５を参照して説明したように、第１受付部５６は、ユーザーからの操作に基づいて用紙Ｐの向きの選択の指示を受け付けるが、本発明はこれに限定されない。第１受付部５６は、ユーザーからの操作に基づいて、画像形成領域ＲＰに対して読取画像ＭＪを回転する形態であればよい。例えば、第１受付部５６が、ユーザーからの操作に基づいて、読取画像ＭＪの回転の指示を受け付ける形態でもよい。
【００８４】
（４）図５を参照して説明したように、表示制御部５５は、選択されている用紙Ｐに対応する画像形成領域ＲＰをタッチパネル４１に表示するが、本発明はこれに限定されない。表示制御部５５が、用紙Ｐに対応する画像形成領域ＲＰをタッチパネル４１に表示する形態であればよい。例えば、表示制御部５５が、全ての（図１では４つの）給送カセット１１に載置されている用紙Ｐに、それぞれ、対応する画像形成領域ＲＰをタッチパネル４１に表示する形態でもよい。この形態では、選択可能な用紙Ｐのサイズ及び向きに応じて、用紙Ｐに形成される読取画像ＭＪの態様を視認できる。よって、ユーザーが用紙Ｐのサイズ及び向きを容易に選択できる。
【００８５】
（５）図３〜図８を参照して説明したように、第１決定部５３、第１受付部５６、第２受付部５７、及び第３受付部５８が、タッチパネル４１を介して、ユーザーからの操作を受け付けるが、本発明はこれに限定されない。第１決定部５３、第１受付部５６、第２受付部５７、及び第３受付部５８が、ユーザーからの操作を受け付ける形態であればよい。
【００８６】
（６）図３及び図４を参照して説明したように、下記第１条件及び第２条件を満たす場合に、判定部５１は読取画像ＭＪが画像形成領域ＲＰからはみ出すと判定するが、本発明はこれに限定されない。
第１条件：第１閾値ＤＳ以上の濃度Ｄを示す部分画像ＭＫが画像形成領域ＲＰの外部に存在する。なお、部分画像ＭＫは、読取画像ＭＪに含まれる。
第２条件：部分画像ＭＫを構成するドットＰＥの個数ＮＰが第２閾値ＮＳ以上である。なお、部分画像ＭＫは、読取画像ＭＪに含まれ、画像形成領域ＲＰの外部に存在する。
判定部５１は、読取画像ＭＪが画像形成領域ＲＰからはみ出すか否かを判定すればよい。例えば、判定部５１は、第１条件及び第２条件の少なくとも一方を満たす場合に、判定部５１は読取画像ＭＪが画像形成領域ＲＰからはみ出すと判定する形態でもよい。
【００８７】
（７）図３を参照して説明したように、制御部５は、判定部５１、報知部５２、第１決定部５３、第２決定部５４、表示制御部５５、第１受付部５６、第２受付部５７、及び第３受付部５８を備えるが、本発明はこれに限定されない。制御部５が、判定部５１、及び報知部５２を備えていればよい。例えば、制御部５が、判定部５１、報知部５２、第１決定部５３、及び第２決定部５４で構成されている形態でもよい。また、例えば、制御部５が、判定部５１、報知部５２、第１決定部５３、第２決定部５４、及び第１受付部５６で構成されている形態でもよい。更に、例えば、制御部５が、判定部５１、報知部５２、第１決定部５３、第２決定部５４、第１受付部５６及び第２受付部５７で構成されている形態でもよい。
【産業上の利用可能性】
【００８８】
本発明は、画像形成装置に関するものであり、産業上の利用可能性を有する。
【符号の説明】
【００８９】
１００    画像形成装置
１    画像形成ユニット
１３    画像形成部
２    画像読取ユニット
３    原稿搬送ユニット
４    操作表示部
４１    タッチパネル（表示部）
５    制御部（制御ユニット）
５１    判定部
５２    報知部
５３    第１決定部
５４    第２決定部
５５    表示制御部
５６    第１受付部
５７    第２受付部
５８    第３受付部
【図１】
2018142790.tif 000003
【図２】
2018142790.tif 000004
【図３】
2018142790.tif 000005
【図４】
2018142790.tif 000006
【図５】
2018142790.tif 000007
【図６】
2018142790.tif 000008
【図７】
2018142790.tif 000009
【図８】
2018142790.tif 000010
【図９】
2018142790.tif 000011
【図１０】
2018142790.tif 000012
【図１１】
2018142790.tif 000013
【図１２】
2018142790.tif 000014